(57)【要約】【課題】屋根工事に際して、金属製屋根材を用いて施工作業する際、屋根材の板金加工を、現場において容易に施工でき、且つ、作業性が良く、短時間で施工作業が可能で、経済的な屋根材折り曲げ用治具を提供する。【解決手段】金属製屋根材の端部を折り曲げる治具において、所定の長さ・幅・厚みを有する横長矩形状の治具本体１を設け、該治具本体１は、上部材２と下部材３からなり、いずれか一方が、横方法にスライド可能であり、且つ、所定位置で一時固定するための保持部材４とを設け、また、上部材２と下部材３との間には、屋根材の端部を差し込むための差し込み溝５を形成し、さらに、治具本体１の長さ方向の両端部には、それぞれ、差し込み溝に差し込まれた屋根材の折り曲げ幅を調製する一対のゲージ６ａ付折り曲げ幅設定・調整具６をそれぞれ設け、さらに、該治具本体１の平面には、差し込んだ屋根材を折り曲げるための折り曲げ用レバー７を植設した。【選択図】  図１
0003187030.tif 000002
【実用新案登録請求の範囲】
【請求項１】
金属製屋根材（ＬＰ）の端部を折り曲げる治具において、
所定の長さ・幅・厚みを有する横長矩形状の治具本体（１）を設け、
該治具本体（１）は、上部材（２）と下部材（３）からなり、いずれか一方が、横方法にスライド可能であり、
且つ、所定位置で一時固定するための保持部材（４）とを設け、
また、上部材（２）と下部材（３）との間には、屋根材（ＬＰ）の端部を差し込むための差し込み溝（５）を形成し、
さらに、前記本体（１）の長さ方向の両端部には、それぞれ、前記差し込み溝（５）に差し込まれた屋根材（ＬＰ）の折り曲げ幅を調製する一対のゲージ（６ａ）付折り曲げ幅設定・調整具（６）をそれぞれ設け、
さらに、該治具本体（１）の平面には、前記差し込んだ屋根材（ＬＰ）を折り曲げるための折り曲げ用レバー（７）を植設した
ことを特徴とする屋根材折り曲げ用治具。
【考案の詳細な説明】
【技術分野】
【０００１】
この考案は、屋根材折り曲げ用治具に関するものである。
【背景技術】
【０００２】
従来、日本家屋において、屋根は瓦を葺いていたが、近年、ガルバリューム鋼板等の金属製板材を素材として、適宜な幅と長さの帯状に形成され、この両側部を加工して連結部を形成し、これを縦または横方向に敷設して屋根材として使用されている。
【０００３】
そして、この金属製の屋根材は、上・下端部、あるいは左右方向が連結可能に加工された適宜な幅広の素材であり、軒側から上方（棟包み）に向けて、複数枚を順次敷設し、釘等で固定して屋根を葺いているものである。
【０００４】
しかし、これらの屋根工事においては、例えば、屋根材の最上部を折り曲げて立ち上げ部を形成して、該立ち上げ部に棟包みを嵌挿させるための折り曲げ作業が必要な場合、作業性が良く、短時間で屋根材の板金施工作業が可能で、経済的な屋根材板金施工用治具を早期に開発されることが望まれている。
【０００５】
そのため本願出願人は、既に、屋根材の左右両端部にハゼ折りと称して略Ｕ字形状又は富士山形状にそれぞれ形成されたハゼ折り部を、それぞれ重合嵌着して連結し、下端部は屋根の裾部に敷設した梁部材と一体になるようＵ字状に折り曲げ工事を、短時間で板金施工作業が可能となるよう、作業性を高めるため、屋根材板金施工用治具を開発・販売し、施工業者間に好評を得ている。例えば、特許文献１のように。
【０００６】
また、本願出願人は、屋根材の左右両端部にハゼ折りと称して略Ｕ字形状又は富士山形状にそれぞれ形成されたハゼ折り部を、それぞれ重合嵌着して連結し、下端部は屋根の裾部に敷設した梁部材と一体になるようＵ字状に折り曲げ施工する為に、左右をハゼ部の内側から上下方向に折り曲げ幅分の切り込みをそれぞれ入れ、且つ、折り曲げ用治具を使用して梁部材と一体に圧着する作業の煩雑さを解消するため、切り込み作業と、折り曲げ作業と、圧着作業とを一個の治具で行い、短時間で板金施工作業が可能となるよう、作業性を屋根材の軒先加工及び切妻側加工を容易におこなう屋根材板金施工用治具も開発・販売し、これまた、施工業者間に好評得ている。例えば、特許文献２のように。
【０００７】
さらに、本願出願人は、屋根材の折り曲げ作業が片手で効率よく行なえる屋根部材の折り曲げ器も開発して施工・販売もされ、これもまた、好評を得ているものである。例えば、特許文献３のように。
【先行技術文献】
【特許文献】
【０００８】
【特許文献１】実用新案登録第３１６０５６０号公報
【特許文献２】実用新案登録第３１６０７８０号公報
【特許文献３】実用新案登録第３１７９４８５号公報
【考案の概要】
【考案が解決しようとする課題】
【０００９】
そこで、この考案は、屋根工事に際して、金属製屋根材を用いて施工作業する際、屋根材の板金加工を、現場において容易に施工でき、且つ、極めて作業性が良く、短時間で施工作業が可能であり、工期短縮できることにより経済的な屋根材折り曲げ用治具を開発・提供する事にある。
【課題を解決するための手段】
【００１０】
この課題を解決するための手段として、屋根材端部を折り曲げる治具は、横長矩形状の治具本体を設け、該治具本体は、長さ方向に伸長し、伸長した状態を一時保持するための保持部材を設け、且つ、前記本体の厚み方向の中間には、屋根材の端部を差し込むための差し込み溝を形成し、また、前記本体の長さ方向の両端部には、前記溝に差し込まれた屋根材の折り曲げ幅を設定する設定具と、幅寸法ゲージをそれぞれ設け、さらに、該本体の平面には、折り曲げ用レバーを設けたものである。
【考案の効果】
【００１１】
この考案の効果として、横長矩形状の治具本体の横幅を所定幅ほどスライドし、かつ一時固定することにより、金属屋根材の幅を特定でき、前記治具本体に設けた差し込み溝内に、屋根材の端部を差し込み、予め、折り曲げ幅寸法を設定・調整した一対の折り曲げ幅設定・調整具に、前記屋根材の端部を当接し、レバーを握って折り曲げれば寸法とおりの折り曲げ幅に正確に折り曲げることができ、簡単、かつ、正確に折り曲げることができる等の効果を奏するものである。
【図面の簡単な説明】
【００１２】
【図１】この考案の一実施例を示し、（Ａ）は、平面図であり、（Ｂ）は、正面図である。
【図２】この考案の一実施例を示し、（Ａ）は、図１（Ａ）中のａ−ａ断面図であり、（Ｂ）は、図１（Ｂ）中のｂ−ｂ断面図であり、（Ｃ）は、図１（Ｂ）中のｃ−ｃ断面図である。
【図３】この考案の一実施例を示し、一部欠截拡大平面図である。
【図４】この考案の使用例を示し、（Ａ）は、使用前の斜視図であり、（Ｂ）は、スライドした状態を示す斜視図である。
【図５】この考案の使用例を示し、（Ａ）は、屋根板材の折り曲げ状態の一例を示す断面図であり、（Ｂ）は、さらに、屋根板材の折り曲げ状態の他の例を示す断面図である。
【考案を実施するための形態】
【００１３】
この考案を実施するための形態として、屋根材端部を折り曲げる治具は、横長矩形状の治具本体を設け、該治具本体は、上部材と下部材からなり、これら部材のいずれか一方が、横方法にスライド可能であり、長さ方向に伸長し、伸長した状態を一時保持するための保持部材を設け、且つ、前記本体の厚み方向の中間には、屋根材の端部を差し込むための溝を形成し、また、前記本体の長さ方向の両端部には、前記溝に差し込まれた屋根材の折り曲げ幅を設定する設定具と、幅寸法ゲージをそれぞれ設け、さらに、該本体の平面には、折り曲げ用レバーを植設したものである。
【実施例】
【００１４】
そこで、この考案の一実施例を図１〜図５に基づいて詳述すると、金属製屋根材（ＬＰ）の端部を折り曲げる治具において、所定の長さ・幅・厚みを有する横長矩形状の治具本体（１）を設け、該治具本体（１）は、上部材（２）と下部材（３）からなり、いずれか一方が、横方法にスライド可能であり、且つ、所定位置で一時固定するための保持部材（４）とを設け、また、上部材（２）と下部材（３）との間には、屋根材（ＬＰ）の端部を差し込むための差し込み溝（５）を形成し、さらに、前記本体（１）の長さ方向の両端部には、それぞれ、前記差し込み溝（５）に差し込まれた屋根材（ＬＰ）の折り曲げ幅を調製する一対のゲージ（６ａ）付折り曲げ幅設定・調整具（６）をそれぞれ設け、さらに、該治具本体（１）の平面には、前記差し込んだ屋根材（ＬＰ）を折り曲げるための折り曲げ用レバー（７）を植設したことを特徴とする屋根材折り曲げ用治具から構成される。  
【００１５】
そして、横長矩形状の治具本体（１）の上部材（２）と下部材（３）は、その中間部に、差し込み溝（５）を形成しており、これら部材（２，３）のいずれか一方が、横方法にスライド可能に構成されており、且つ、スライドした所定位置で、一時固定できるよう構成されている。
【００１６】
また、折り曲げ幅設定・調整具（６）は、横長矩形状の治具本体（１）の上部材（２）においては左端部付近に設け、下部材（３）においては右端部付近にそれぞれ設けられており、具体的な一例としては、蝶螺子（Ａ）を介してそれぞれの部材（２），（３）に六角ボルト（Ｂ）を、移動可能に螺着してなるものであり、これら六角ボルト（Ｂ）の先端部は、前記差し込み溝（５）内に露出している。
【００１７】
そして、前記上部材（２）と下部材（３）とは、上部材（２）に穿設した１または複数の長溝（２ａ）（２ａ）を穿設し、下部材（３）側に形成した螺子穴（３ａ）（３ａ）に、ワッシャー（３ｂ）（３ｂ）を介して螺子（２ｂ）（２ｂ）にて螺着できるよう構成しており、スライドした際には、上部材（２）と下部材（３）を一時固定できるよう構成したものである。
【００１８】
そして、それぞれ折り曲げ幅設定・調整具（６）に設けたゲージ（６ａ）は、前記六角ボルト（Ｂ）と同軸方向に長穴が形成され、その左側および右側に数値が設けられており、図１、図３そして図４において示されるように、１５ｍｍから１０ｍｍおきの、４５ｍｍまで記載されており、差し込み溝（５）に差し込まれた金属製屋根材（ＬＰ）の端部は、最大４５ｍｍから最低１５ｍｍの寸法で折り曲げられるよう構成されているものである。
【００１９】
従って、折り曲げようとする金属製屋根材（ＬＰ）の端部を、差し込み溝（５）に差し込むにあたり、予め、前記六角ボルト（Ｂ）の先端を、ゲージ（６ａ）に記載された寸法位置までそれぞれ螺合により移動させて、セットしこれら六角ボルト（Ｂ）に当接するまで、金属製屋根材（ＬＰ）の端部を差し込むものである。
【００２０】
そして、その結果、図５（Ａ）に示すように、例えば、差し込み溝（５）内の幅寸法（Ｌ１）は、金属製屋根材（ＬＰ）の幅寸法（Ｘ１）と同寸法であり、また、図５（Ｂ）に示すように、幅寸法（Ｌ２）は、金属製屋根材（ＬＰ）の幅寸法（Ｘ２）と同寸法である。
【００２１】
折り曲げ用レバー（７）は、全体の形状が鎹（カスガイ）状であり、握り易い形状となっており、該レバー（７）を手で握って、９０°回動させれば、図５に示すように簡単に金属製屋根材（ＬＰ）を折り曲げることが可能である。
【産業上の利用可能性】
【００２２】
この考案の屋根材折り曲げ用治具の技術を確立し、実施することにより産業上の利用可能性を有する。
【符号の説明】
【００２３】
１  矩形状治具本体
２  上部材
３  下部材
４  保持部材
５  差し込み溝
６  折り曲げ幅設定・調整具
６ａ  ゲージ
７  折り曲げ用レバー
Ａ  蝶螺子
Ｂ  六角ボルト
ＬＰ  金属製屋根材
【図１】
0003187030.tif 000003
【図２】
0003187030.tif 000004
【図３】
0003187030.tif 000005
【図４】
0003187030.tif 000006
【図５】
0003187030.tif 000007